(57)【特許請求の範囲】
【請求項１】
本体ケースと、
前記本体ケースに対して引き出し自在に設けられたカセット保持部と、
前記カセット保持部に対してその引出方向と直交する略水平軸回りに回動自在に支持され、その回動自由端に印字ヘッドが取り付けられた印字ヘッドホルダと、
前記カセット保持部が前記本体ケースに収納された収納位置では前記印字ヘッドを印字位置に位置付け、前記カセット保持部が前記本体ケースから引き出された引出位置では前記印字ヘッドを跳ね上げるように前記印字ヘッドホルダを回動させる跳上げ手段と、
前記カセット保持部に対して引き出し自在に設けられ、その引き出し方向に沿って相対向する取付壁と開放部とを有し、用紙保持部が設けられたカセットと、
前記用紙保持部よりも手前側で前記印字ヘッドホルダの回動軸と平行な軸回りに回転自在に前記カセットの前記取付壁に片持ち構造で設けられ、前記カセットが前記カセット保持部に収納された状態では前記印字位置で前記印字ヘッドに対面するプラテンと、
前記用紙保持部から前記印字ヘッドに到る間でロール紙を屈曲案内する少なくとも２箇所の屈曲部と、
前記カセットの前記取付壁に対して近接離反自在に設けられ、前記用紙保持部を構成するサイドフェンスと、
前記サイドフェンスに一体に設けられ、前記屈曲部において用紙の幅方向の移動を規制する用紙ガイド部と、
を具備するカセット式プリンタ。
【請求項２】
前記サイドフェンスは、前記取付壁に片持ち構造で設けられた少なくとも２本の支持シャフトにスライド自在に取り付けられ、
押圧されてたわむ前記支持シャフトのたわみを止めるストッパを具備する請求項１記載のカセット式プリンタ。
【請求項３】
前記屈曲部は、前記取付壁に片持ち構造で設けられ前記サイドフェンスをスライド自在に保持するガイドシャフトであり、
前記ストッパは、押圧されてたわむ前記ガイドシャフトのたわみを止める請求項２記載のカセット式プリンタ。
【請求項４】
本体ケースと、
前記本体ケースに対して引き出し自在に設けられたカセット保持部と、
前記カセット保持部に対してその引出方向と直交する略水平軸回りに回動自在に支持され、その回動自由端に印字ヘッドが取り付けられた印字ヘッドホルダと、
前記カセット保持部が前記本体ケースに収納された収納位置では前記印字ヘッドを印字位置に位置付け、前記カセット保持部が前記本体ケースから引き出された引出位置では前記印字ヘッドを跳ね上げるように前記印字ヘッドホルダを回動させる跳上げ手段と、
前記カセット保持部に対して引き出し自在に設けられ、その引き出し方向に沿って相対向する取付壁と開放部とを有し、用紙保持部が設けられたカセットと、
前記用紙保持部よりも手前側で前記印字ヘッドホルダの回動軸と平行な軸回りに回転自在に前記カセットの前記取付壁に片持ち構造で設けられ、前記カセットが前記カセット保持部に収納された状態では前記印字位置で前記印字ヘッドに対面するプラテンと、
前記取付壁に片持ち構造で設けられた少なくとも２本の支持シャフトにスライド自在に取り付けられ前記用紙保持部を構成するサイドフェンスと、
押圧されてたわむ前記支持シャフトのたわみを止めるストッパと、
を具備するカセット式プリンタ。
【発明の詳細な説明】
【０００１】
【発明の属する技術分野】
本発明は、ロール紙に印字を行なうカセット式プリンタに関する。
【０００２】
【従来の技術】
ロール紙に印字を行なうプリンタとしては、従来、プリンタ単体として成り立っている構造のものばかりでなく、例えば、電子秤装置に組み込まれてラベルやレシートを発行する構造のものや、電子キャッシュレジスタに組み込まれてレシート発行やジャーナル記録を行なう構造のもの等、いわゆるビルトインタイプのものがある。
【０００３】
このようなプリンタでは、いずれの方式のプリンタであっても、ロール紙の交換作業の容易化や装置全体の小型化及び薄型化が望まれることが多い。特に、ビルトインタイプのプリンタでは、プリンタを収納する機器、例えば電子秤装置や電子キャッシュレジスタ等の外形サイズや内部スペースにプリンタの容積が大きな影響を与えることから、より一層の小型化及び薄型化が望まれる。
【０００４】
【発明が解決しようとする課題】
ロール紙の交換作業や各部の保守作業の容易化という観点からすると、従来のプリンタは、そのような作業の作業性が良好とはいえないのが現実である。例えば、従来のプリンタ、特に、電子秤装置や電子キャッシュレジスタにビルトインされたプリンタでは、プリンタカバーを開けてロール紙の交換作業や各部の保守作業を行なうような構造のものが一般的である。ところが、このような構造のものでは、一般的に、ロール紙のセット作業に際してプラテンと印字ヘッドとの間にロール紙を通さなければならないためにロール紙の交換作業が煩雑であり、また、印字ヘッドの周辺構造が複雑であるために保守作業が容易でないという問題がある。
【０００５】
また、前述したように、従来のプリンタ、特に、電子秤装置や電子キャッシュレジスタ等の機器にビルトインされたプリンタでは、プリンタカバーを開けてロール紙の交換作業や各部の保守作業を行なうような構造のものが一般的である。ところが、プリンタカバーの取り付け位置によっては、そのような機器のレイアウトに望ましくない制限をもたらすことがある。例えば、電子秤装置にビルトインされたプリンタに着目すると、プリンタカバーが機器の側面に着脱自在に取り付けられているとすると、ロール紙の交換作業や各部の保守作業のために機器の側方にある程度の設置スペースを確保しなければならないという問題がある。また、電子秤装置にビルトインされたプリンタにおいて、プリンタカバーが機器の上面に着脱自在に取り付けられているとすると、プリンタカバーの上方に秤皿を配置しにくいという問題がある。この場合、プリンタカバーの上方に秤皿を配置すると、ロール紙の交換作業や各部の保守作業の作業性が低下してしまう。
【０００６】
また、プリンタでは、用紙保持部にロール状態で収納保持されているロール紙を引き出して搬送し、その搬送過程で印字ヘッドにより印字しているが、用紙保持部から印字ヘッドへのロール紙搬送過程において、ロール紙が屈曲案内される際にロール紙が幅方向に移動してしまうことがある。これにより、ロール紙の斜行や蛇行が発生して、印字ヘッドによる印字の位置ずれが起こり印字品質が低下してしまうという問題がある。
【０００７】
また、ロール紙の交換作業や各部の保守作業の際には、作業者が誤って部材を押すなどして部材を破損してしまうことがある。
【０００８】
本発明の目的は、印字品質を高品質に維持することである。
【０００９】
本発明の目的は、ロール紙の交換作業や各部の保守作業に際して部材の破損を防止することである。
【００１０】
【課題を解決するための手段】
本発明のカセット式プリンタは、本体ケースに対してカセット保持部を引き出し自在とし、このカセット保持部に対して用紙保持部とプラテンとを有するカセットを引き出し自在とし、カセット保持部が本体ケースに収納された収納位置では印字ヘッドを印字位置に位置付け、カセット保持部が本体ケースから引き出された引出位置では印字ヘッドを跳ね上げる。カセットの取付壁に対して近接離反自在に設けられ用紙保持部を構成するサイドフェンスに一体に設けられている用紙ガイド部により、用紙保持部から印字ヘッドに到る間でロール紙を屈曲案内する少なくとも２箇所の屈曲部において用紙の幅方向の移動を規制する。
【００１１】
したがって、本体ケースにカセット保持部が収納されてカセット保持部にカセットが収納されている状態からカセットを引き出すと、カセットとカセット保持部とが結合されているためにカセット保持部もカセットに伴い本体ケースから引き出される。この際、カセット保持部が引出位置まで引き出された状態では、印字ヘッドが跳ね上げられる。そこで、カセット保持部からカセットを引き出した状態で、用紙保持部に対するロール紙のセット作業や各部の保守作業を容易に行なうことが可能となる。
【００１２】
さらに、カセットの取付壁に対してサイドフェンスを近接離反することで、用紙保持部における用紙収納幅が可変され、用紙保持部に各種サイズのロール紙が収納保持される場合であっても、そのロール紙の側部の規制が可能となるとともに、ロール状態から引き出され屈曲部で屈曲案内されるロール紙の側部も用紙収納幅と同じ幅で規制することが可能となる。これによりロール状態から引き出されたロール紙の斜行や蛇行を防止することが可能となる。
【００１３】
本発明のカセット式プリンタは、本体ケースに対してカセット保持部が引き出し自在とし、このカセット保持部に対して用紙保持部とプラテンとを有するカセットが引き出し自在とし、カセット保持部が本体ケースに収納された収納位置では印字ヘッドを印字位置に位置付け、カセット保持部が本体ケースから引き出された引出位置では印字ヘッドを跳ね上げる。用紙保持部を構成するサイドフェンスをスライド保持する少なくとも２本の支持シャフトがカセットの取付壁に片持ち構造で設けられ、押圧されてたわむ支持シャフトのたわみをストッパにより止める。
【００１４】
したがって、本体ケースにカセット保持部が収納されてカセット保持部にカセットが収納されている状態からカセットを引き出すと、カセットとカセット保持部とが結合されているためにカセット保持部もカセットに伴い本体ケースから引き出される。この際、カセット保持部が引出位置まで引き出された状態では、印字ヘッドが跳ね上げられる。そこで、カセット保持部からカセットを引き出した状態で、用紙保持部に対するロール紙のセット作業や各部の保守作業を容易に行なうことが可能となる。
【００１５】
さらに、支持シャフトがロール紙の交換作業や各部の保守作業に際して作業者によって誤って押圧された場合には、支持シャフトはたわみ、たわむことによりその加えられた力を逃がす。これにより、支持シャフトが押圧されることによる部材の破損が防止される。そして、押圧されてたわんだ支持シャフトはストッパによりそのたわみを止められる。これにより、支持シャフトが大きくたわむことによる部材の破損が防止される。
【００１６】
【発明の実施の形態】
本発明の実施の一形態を図面に基づいて説明する。本実施の形態は、電子秤装置への適用例である。
【００１７】
図１は、電子秤装置の斜視図である。この電子秤装置１は、扁平筐体状のハウジング２の上面全体に秤皿３を有し、正面左側にタッチパネル付きのディスプレイ４、正面右側にプリンタ５を有している。
【００１８】
ディスプレイ４はチルト可能である。このため、図１に示すような状態から、ディスプレイ４をチルトさせてその下縁をハウジング２の下面よりも下方に延出させることが可能である。これは、ハウジング２の設置部６を例えば図示しないショーケースの上面に載置して電子秤装置１を設置し、ディスプレイ４をショーケースの上面よりも下方に位置付けるような使用態様を考慮しての構造である。
【００１９】
図１に示すように、プリンタ５は、ラベルやレシートを発行するための発行口１０１をハウジング２の正面に有する。この発行口１０１は、ハウジング２の一部を構成する上カバー１０２と下カバー１０３とによって形成されている。上カバー１０２及び下カバー１０３はプリンタ５にネジ止めされている。
【００２０】
プリンタ５について詳細に説明する。
【００２１】
まず、プリンタ５の概略構造を図２ないし図４に基づいて説明する。図２ないし図４は、プリンタ５の斜視図であり、図２はカセット及びカセット保持部が共に収納された状態を示す斜視図、図３はカセット保持部が最大引出位置まで引き出された状態を示す斜視図、図４はカセットが引き抜かれた状態を示す斜視図である。
【００２２】
プリンタ５は、その概略構造として、板金によって形成された本体ケース２０１に対し、カセット保持部２０２が引出自在に収納され、このカセット保持部２０２にカセット２０３が引出自在に収納されて構成されている。カセット保持部２０２は、印字ヘッドとしてのラインサーマルヘッド２０４を跳上げ自在に有し（図３及び図４参照）、固定刃構造のカッタ２０５を有する（図２参照）。カセット２０３は、図示しないロール紙を収納保持する用紙保持部２０６と、プラテン２０７と、ラベル剥離板２０８と、台紙巻取り軸２０９とを有する（図３及び図４参照）。
【００２３】
次いで、カセット２０３の詳細構造を図４及び図５に基づいて説明する。図５はカセット２０３を示す右側面図である。
【００２４】
カセット２０３は、全体が樹脂モールドによる一体成形品であり、その前部にはハウジング２の一部を構成する下カバー１０３が着脱自在に取り付けられている。この下カバー１０３も樹脂モールドの一体成形品である。そして、カセット２０３は、その後方に用紙保持部２０６を位置させ、前方にプラテン２０７及びラベル剥離板２０８を位置させ、中央部に台紙巻取り軸２０９を位置させている。また、カセット２０３の内部一側部には取付壁２１０が設けられ、この取付壁２１０と対向する他側部には開放部２１１が形成されている。取付壁２１０は、プラテン２０７、ラベル剥離板２０８及び台紙巻取り軸２０９を片持ち状態で支持する構造体であり、開放部２１１は切欠構造である。
【００２５】
また、カセット２０３の取付壁２１０には、用紙支持部２０６とプラテン２０７との間に位置させて、ロール紙を屈曲案内するための屈曲部であるガイドシャフト２１２が片持ち状態で設けられている。
【００２６】
用紙保持部２０６は、ロール紙を収納保持し得る凹部形状をしており、このような用紙保持部２０６には樹脂モールド成形された１枚のサイドフェンス２１３がスライド自在に取り付けられている。つまり、用紙保持部２０６では、カセット２０３の取付壁２１０から金属製の２本の支持シャフト２１４ａ，２１４ｂがガイドシャフト２１２に平行に片持ち状態で立設されており、これらの支持シャフト２１４ａ，２１４ｂはサイドフェンス２１３に形成された２つの嵌合穴に嵌合している。これにより、サイドフェンス２１３は、２本の支持シャフト２１４ａ，２１４ｂにスライド自在に支持されており、スライド移動することによって用紙保持部２０６に収納保持可能なロール紙の幅を規制している。ここで、支持シャフト２１４ａは、ロール紙を屈曲案内する屈曲部としても機能する。
【００２７】
サイドフェンス２１３における支持シャフト２１４ａ側は、ガイドシャフト２１２まで延出されて形成されており、支持シャフト２１４ａからガイドシャフト２１２までの部位は、用紙ガイド部２１３ａとされている。この用紙ガイド部２１３ａには、嵌合穴が形成されており、この嵌合穴にはガイドシャフト２１２が嵌合している。これにより、サイドフェンス２１３は、ガイドシャフト２１２にもスライド自在に支持されている。サイドフェンス２１３は、スライド移動することによって、支持シャフト２１４ａ及びガイドシャフト２１２により屈曲案内されるロール紙の側部を用紙ガイド部２１３ａにより規制することによりロール紙の幅方向の移動を規制している。
【００２８】
また、用紙保持部２０６の前端部には、サイドフェンス２１３に形成されている段差部２１３ｂの下方に位置させてストッパ２０６ａが形成されている。このストッパ２０６ａは、サイドフェンス２１３の段差部２１３ｂに間隔を持って対向して設けられている。これにより、支持シャフト２１４ａ，２１４ｂやガイドシャフト２１２が下方に向けて押圧されてたわむことにより移動するサイドフェンス２１３が、ストッパ２０６ａに当接することでその移動が規制される。
【００２９】
プラテン２０７、ラベル剥離板２０８及び台紙巻取り軸２０９は、１枚の板金２１５に支持されて片持ちユニット２１６を構成している。プラテン２０７及びラベル剥離板２０８の自由端は、更に別の補助板金２１７に支持されて位置決め精度の向上及び剛性確保が図られている。片持ちユニット２１６において、プラテン２０７及び台紙巻取り軸２０９は回転自在に取り付けられており、片持ちユニット２１６には、それらのプラテン２０７及び台紙巻取り軸２０９に対し、駆動源（図示せず）の駆動力を伝達する動力伝達機構を構成するギヤ列（図示せず）が設けられている。これにより、プラテン２０７は、ロール紙を搬送する搬送部としても機能する。これらのギヤ列は、板金２１５において、プラテン２０７、ラベル剥離板２０８及び台紙巻取り軸２０９が取り付けられている側面と反対側の側面に配列されている。
【００３０】
このような片持ちユニット２１６は、カセット２０３の取付壁２１０にネジ止めされて取り付けられている。この場合、カセット２０３の取付壁２１０は、ギヤ列を収納するギヤカバー２１８を有しており、したがって、ギヤ列がギヤカバー２１８に収納された状態で片持ちユニット２１６が取付壁２１０に取り付けられている。こうして片持ちユニット２１６が取付壁２１０に取り付けられた状態において、プラテン２０７、ラベル剥離板２０８及び台紙巻取り軸２０９は、カセット２０３の引き出し及び押し込み方向と直交する略水平軸に沿って配置されることになる。
【００３１】
ここで、ラベル剥離板２０８の近傍には、板金２１５と補助板金２１７との間にラベル剥離板と平行して１本のラベル保持シャフト２１９が取り付けられている。そして、このラベル保持シャフト２１９には２つのラベル規制部材２２０が取り付けられており、そのうちの１つのラベル規制部材２２０はスライド自在である。これらのラベル規制部材２２０は、ラベル剥離板２０８によって図示しない台紙から剥離された図示しないラベルの側部を規制し、これによってラベルの蛇行を防止するための構造物である。
【００３２】
次いで、本体ケース２０１とカセット保持部２０２とカセット２０３とそれらが保持する構造部品との間の構造的な関連性を図６ないし図１１に基づいて説明する。この場合、図１ないし図５も必要に応じて用いながら説明する。図６はカセット２０３及びカセット保持部２０２が共に収納された状態を示す右側面図、図７はカセット２０３及びカセット保持部２０２が僅かに引き出された状態を示す右側面図、図８はカセット２０３及びカセット保持部２０２が更に引き出されてカッタ２０５が待避位置に位置付けられた状態を示す右側面図、図９はカセット２０３及びカセット保持部２０２が更に引き出された状態を示す右側面図、図１０はカセット保持部２０２が最大引出位置まで引き出された状態を示す右側面図、図１１はカセット２０３が引き抜かれた状態を示す右側面図である。
【００３３】
カセット保持部２０２において、ラインサーマルヘッド２０４は印字ヘッドホルダ２２１の先端部の回動自在なリンクに弾性的に保持されている。ここでの弾性力は、図示しないコイルスプリングにより付与されている。印字ヘッドホルダ２２１は、カセット保持部２０２の引き出し及び押し込み方向と直交する略水平軸であるホルダシャフト２２２に回動自在に取り付けられた板金製のアーム状部材である。このような印字ヘッドホルダ２２１は、その先端部の回動自在なリンクにラインサーマルヘッド２０４を支持しており、後端側の位置変化に応じてラインサーマルヘッド２０４の姿勢制御が可能な構造となっている。そこで、本実施の形態では、印字ヘッドホルダ２２１の後端側の位置を制御することによって、カセット保持部２０２のスライド移動に伴うラインサーマルヘッド２０４の跳上げ動作を実現している。つまり、印字ヘッドホルダ２２１の一対の後端側にはそれぞれカムフォロワ２２３が取り付けられており、これらのカムフォロワ２２３は本体ケース２０１の両側壁に形成された溝カム２２４に係合している。この溝カム２２４の形状は、カセット保持部２０２の引き出し動作に伴いラインサーマルヘッド２０４が跳ね上げられる方向に印字ヘッドホルダ２２１を回動させ、カセット保持部２０２の押し込み動作に伴いラインサーマルヘッド２０４をプラテン２０７に当接する印字位置に復帰させる方向に印字ヘッドホルダ２２１を回動させるような制御を行ない得るように決められている。ここに、カセット保持部２０２が本体ケース２０１から最大限引き出された最大引出位置ではラインサーマルヘッド２０４を跳ね上げるように印字ヘッドホルダ２２１を回動させる跳上げカム構造の跳上げ手段２２５が形成されている。
【００３４】
また、印字ヘッドホルダ２２１は、その先端部にホルダシャフト２２２と平行な回動軸回りに回動自在のリンク部材２２６を有しており、このリンク部材２２６にはカッタ２０５が固定されている。これにより、カッタ２０５は、ラインサーマルヘッド２０４の近傍の用紙切断位置とラインサーマルヘッド２０４から離反する待避位置とに移動自在であり、ここに、カッタ保持機構２２７が構成されている。そして、リンク部材２２６と印字ヘッドホルダ２２１の先端部との間には、それらの両側部に位置させて２本のコイルスプリングＳＰが張設状態で掛け渡されている。これにより、リンク部材２２６は、コイルスプリングＳＰによって、ラインサーマルヘッド２０４から離反する方向に向けて付勢されている。そして、リンク部材２２６には、その上面両側部に、一対のカム２２８が形成されており、本体ケース２０１にはそれらのカム２２８に対応するカムフォロワ２２９が形成されている。
【００３５】
カム２２８とカムフォロワ２２９とは、カセット保持部２０２が収納位置に位置付けられている場合には（図２及び図６参照）、カム２２８がカムフォロワ２２９に当接してリンク部材２２６をラインサーマルヘッド２０４に近接する方向に回動させ、カセット保持部２０２が有る程度引き出された後にはカムフォロワ２２９からカム２２８が脱落するような配置関係に形成されている。
【００３６】
これにより、カセット保持部２０２が収納位置に位置付けられている場合には、コイルスプリングＳＰの付勢力に抗してリンク部材２２６がラインサーマルヘッド２０４に近接し、カッタ２０５がラインサーマルヘッド２０４の近傍の用紙切断位置に位置付けられる（図６参照）。これに対し、カムフォロワ２２９からカム２２８が脱落した後は、コイルスプリングＳＰの付勢力によってリンク部材２２６が引っ張られ、リンク部材２２６がラインサーマルヘッド２０４から離反する方向に回動し、カッタ２０５がラインサーマルヘッド２０４から離反した待避位置に位置付けられる（図７〜図１１参照）。これにより、カッタカム構造のカッタ位置制御機構２３０が構成されている。そこで、印字ヘッドホルダ２２１には、用紙切断位置に位置するカッタ２０５を露出させ、待避位置に位置するカッタ２０５を覆うカッタカバー２３１が取り付けられている。
【００３７】
また、カム２２８の裏側には、略同一形状の図示しないカムが設けられている。このカムは、カムフォロワ２２９とのカム作用によって、印字ヘッドホルダ２２１の回動自在なリンクに支持されたラインサーマルヘッド２０４に対して押圧力を付与する構造である。つまり、カム２２８の裏側に設けられた図示しないカムは、カセット保持部２０２が収納位置に位置付けられている場合に、カムフォロワ２２９との間のカム作用によって、プラテン２０７に対してラインサーマルヘッド２０４を当接するよう機能する。ここに、カセット保持部２０２の収納位置への移動に従いラインサーマルヘッド２０４をプラテン２０７への当接力を強める方向に付勢するヘッドカム機構２３２が構成されている。
【００３８】
ここで、リンク部材２２６には、カム２２８及びその裏面側の図示しないカムが一対設けられているため、一対のカム２２８及びその裏面側の図示しないカムの間にはスペースが形成される。そこで、本実施の形態では、このスペースを利用してラインサーマルヘッド２０４の図示しない配線ケーブルを折りたたみ状態で収納している。
【００３９】
次いで、図６ないし図１１は、カセット保持部２０２及びカセット２０３が引き出される過程を順に示している。このようなカセット保持部２０２及びカセット２０３の引き出し過程において、カセット保持部２０２は、その最大引出位置（図１０および図１１参照）に引き出されるまではカセット２０３に連結されてカセット２０３と共に引き出され、カセット保持部２０２が最大引出位置に到った後はカセット２０３が単独で引き出し可能なように構成されている。逆に、カセット保持部２０２及びカセット２０３の押し込み時には、カセット２０３は、最大引出位置に位置するカセット保持部２０２に達するまでは単独で押し込み可能であり、最大引出位置に位置するカセット保持部２０２に達した後はカセット保持部２０２に連結されてこのカセット保持部２０２を伴い押し込み移動可能なように構成されている。このようなカセット保持部２０２とカセット２０３との連結を可能とする構造がラッチ機構２３３である。以下、ラッチ機構２３３について説明する。
【００４０】
カセット保持部２０２の後部には、その引き出し及び押し込み方向と直交する略水平軸回りに回動自在にラッチ部材２３４が取り付けられている。このラッチ部材２３４は、第１の方向（図６〜図１１中、ＦＤで示す）に回動することによってカセット２０３に設けられた図示しない係合孔に係合する第１の係合部２３５と、第１の方向とは反対の第２の方向（図６〜図１１中、ＳＤで示す）に回動することによってカセット保持部２０２の最大引出位置において本体ケース２０１に設けられた図示しない係合孔に係合する第２の係合部２３６とを備える。このようなラッチ部材２３４は、カセット２０３の移動軌跡中に配置された当接部２３７を備える。この当接部２３７は、カセット保持部２０２に対してカセット２０３が押し込まれた場合、カセット２０３の後部の当接によってラッチ部材２３４を第１の方向に回動させる役割を果たす。つまり、押し込まれたカセット２０３が当接部２３７に当接するとラッチ部材２３４が第１の方向に回動し、第１の係合部２３５がカセット２０３に設けられた図示しない係合孔に係合してカセット保持部２０２とカセット２０３とが結合された状態となる。この状態を、図６ないし図９に示す。したがって、カセット保持部２０２が収納位置から最大引出位置に到る区間においては、カセット保持部２０２とカセット２０３とが連結された状態となる。また、ラッチ部材２３４は、図示しない付勢部材によって第２の方向に付勢されている。これにより、カセット保持部２０２が最大引出位置に到った場合には、第２の方向に付勢されているラッチ部材２３４が第２の方向に回動し、本体ケース２０１に設けられた係合孔に第２の係合部２３６が落ち込んでカセット保持部２０２が本体ケース２０１に係合する（図１０及び図１１参照）。
【００４１】
次いで、本体ケース２０１は、その内側壁に、カセット２０３に取り付けられた片持ちユニット２１６の補助板金２１７の底部を支持する自由端支持部２３８を有する。つまり、この自由端支持部２３８は、直接的に支持する補助板金２１７を支持することによってこの補助板金２１７に取り付けられたプラテン２０７及びラベル剥離板２０８の自由端を支持する。
【００４２】
図１２は、カセット２０３及びカセット保持部２０２が共に収納された状態でのロール紙の案内経路を示す縦断右側面図である。本実施の形態のプリンタ５は、図１２に示すように、用紙保持部２０６に収納されたロール紙を、支持シャフト２１４ａ、ガイドシャフト２１２を経てプラテン２０７とラインサーマルヘッド２０４との間に案内する案内経路２３９を形成するように各部が位置付けられている。
【００４３】
このような構成において、本実施の形態の電子秤装置１は、例えば、秤皿３に載せた品物の重量を計量してその計量結果を印字したラベルをプリンタ５によって印字し発行口１０１から発行したり、品物の計量値に基づいてその品物の値段を求め、レシートを印字して発行口１０１から発行したりするというように利用される。
【００４４】
プリンタ５においては、例えば、用紙保持部２０６に感熱紙であるロール紙が収納される場合には、ロール紙が用紙保持部２０６から引き出され支持シャフト２１４ａ及びガイドシャフト２１２に屈曲案内されてラインサーマルヘッド２０４へ搬送される。そして、そのロール紙にラインサーマルヘッド２０４により所定事項を印字して発行口１０１から発行する。発行された印字済みのロール紙は、カッタ２０５で切断可能である。また、用紙保持部２０６にロール紙状のラベル用紙が収納される場合には、その台紙部分をラベル剥離板２０８で屈曲させて台紙巻取り軸２０９に巻き取らせ、ラベル剥離板２０８によって台紙から剥離分離された印字済みのラベルを発行口１０１から発行される。
【００４５】
ここで、プリンタ５において、用紙の交換作業や保守作業のためのカセット２０３の引き出し及び押し込み動作について説明する。まず、本体ケース２０１にカセット保持部２０２が収納されてカセット保持部２０２にカセット２０３が収納されている状態からカセット２０３を引き出すと、カセット２０３とカセット保持部２０２とはラッチ機構２３３によって結合されているためにカセット保持部２０２もカセット２０３に伴い本体ケース２０１から引き出される。カセット保持部２０２が最大引出位置まで引き出されると、ラッチ機構２３３はカセット保持部２０２とカセット２０３との結合を解除するため、カセット保持部２０２はその最大引出位置に位置付けられたままカセット２０３がカセット保持部２０２から引き出される。この際、カセット保持部２０２が最大引出位置まで引き出された状態では、跳上げ手段２２５によって印字ヘッドホルダ２２１が回動させられ、ラインサーマルヘッド２０４が跳ね上げられる。しかも、カセット２０３には、プラテン２０７、ラベル剥離板２０８及び台紙巻取り軸２０９が片持ち状態で設けられ、カセット２０３においてこれらを片持ちする取付壁２１０と対面する側は開放部２１１となっている。そこで、カセット保持部２０２からカセット２０３を引き出した状態又は引き抜いた状態で、用紙保持部２０６に対するロール紙のセット作業、プラテン２０７及びラベル剥離板２０８を経由させての台紙巻取り軸２０９に対する台紙のセット作業、各部の保守作業等を容易に行なうことが可能となる。
【００４６】
なお、用紙保持部２０６にロール紙をセットするに際しては、サイドフェンス２１３をスライド移動させることで、実際に使用するロール紙の幅に用紙保持部２０６の用紙収納幅を合わせ、ロール紙の側面位置を規制することができる。
【００４７】
また、ロール紙が支持シャフト２１４ａ及びガイドシャフト２１２により屈曲案内される際には、ロール紙の側部が用紙ガイド部２１３ａにより規制されて幅方向の移動が規制されるので、ロール状態から引き出されたロール紙の斜行や蛇行を防止することができる。これにより、印字品質を高品質に維持することができる。
【００４８】
また、用紙保持部２０６を有するカセット２０３の取付壁２１０に対して近接離反自在に設けられ用紙保持部２０６を構成するサイドフェンス２１３に用紙ガイド部２１３ａを一体に設けたので、カセット２０３の取付壁２１０に対してサイドフェンス２１３を近接離反することで、用紙保持部２０６における用紙収納幅の調整と、用紙ガイド部２１３ａの用紙案内幅の調整とを１部品で同時に行なうことができ、それらの操作が簡略化される。
【００４９】
また、カセット保持部２０２が最大引出位置まで引き出された状態ではラインサーマルヘッド２０４が跳ね上げられ、しかもカセット２０３は単独で引き出し及び押し込み可能となるため、その際に必要な力が軽くて済む。これにより、軽快な操作感が得られ、カセット２０３の引き出し及び押し込みに際しての操作性が良好となる。
【００５０】
ここで、ラッチ機構２３３や跳上げ手段２２５は、いずれも簡単な機構的な構造でそれぞれの作用を実現していることから、構造の簡略化を図ることができる。
【００５１】
また、跳上げ手段２２５によって印字ヘッドホルダ２２１が回動してラインサーマルヘッド２０４が跳ね上げられた場合（図３〜図４、図８〜図１１）、リンク部材２２６と共にカッタ２０５がコイルスプリングＳＰに付勢されてラインサーマルヘッド２０４から離反する方向に回動し、これによってカッタ２０５はカッタカバー２３１に覆われる。これにより、ラインサーマルヘッド２０４の引き出しながらの跳上げによってその周辺が外部に露出したとしても、オペレータの手が不用意にカッタ２０５に触れてしまうような事故が防止され、安全性が確保される。
【００５２】
これに対して、カセット２０３が押し込まれる場合には、図７に示す状態から図６に示す状態に状態が遷移する。これにより、カム２２８の裏側に設けられた図示しないカムは、カムフォロワ２２９との間のカム作用によって、プラテン２０７に対してラインサーマルヘッド２０４を当接するよう機能する。これにより、ラインサーマルヘッド２０４がプラテン２０７にバランス良く当接し、印字品質が高品質に維持される。
【００５３】
また、プラテン２０７及びラベル剥離板２０８はカセット２０３に片持ち状態で取り付けられているが、これらのプラテン２０７及びラベル剥離板２０８の自由端は、補助板金２１７を介して自由端支持部２３８に支持されている。これにより、印字に際して台紙巻取り軸２０９の回転駆動による力がかかるプラテン２０７及びラベル剥離板２０８に剛性が確保される。特に、プラテン２０７の支持剛性が確保されることは、印字品質を高品質に維持するのに役立つ。
【００５４】
また、カセット２０３に設けられたギヤ列はギヤカバー２１８に覆われている。これにより、ギヤ列の鋭利な部分にオペレータの手が触れることが無くなり、安全性が確保される。
【００５５】
また、支持シャフト２１４ａ，２１４ｂやガイドシャフト２１２は取付壁２１０に片持ち構造で設けられているので、ロール紙の交換作業や各部の保守作業に際して、支持シャフト２１４ａ，２１４ｂやガイドシャフト２１２が作業者によって誤って押圧された場合には、支持シャフト２１４ａ，２１４ｂやガイドシャフト２１２はたわみ、たわむことによりその加えられた力を逃がす。これにより、押圧されることによる支持シャフト２１４ａ，２１４ｂやガイドシャフト２１２の破損が防止される。そして、押圧されてたわんだ支持シャフト２１４ａ，２１４ｂやガイドシャフト２１２は、ストッパ２０６ａによりそのたわみを止められる。これにより、支持シャフト２１４ａ，２１４ｂやガイドシャフト２１２が大きくたわむことによる支持シャフト２１４ａ，２１４ｂやガイドシャフト２１２や取付壁２１０などの破損が防止される。
【００５６】
また、ストッパ２０６ａ１部品により、押圧されてたわんだ支持シャフト２１４ａ，２１４ｂやガイドシャフト２１２のたわみを止めるので、支持シャフト２１４ａ，２１４ｂやガイドシャフト２１２それぞれに対応してストッパを設けるのに比べ、プリンタ５構造の簡略化及び小型化を図ることができる。
【００５７】
【発明の効果】
本発明によれば、印字品質を高品質に維持することができる。
【００５８】
本発明によれば、ロール紙の交換作業や各部の保守作業に際して部材の破損を防止することができる。
【図面の簡単な説明】
【図１】本発明の実施の一形態として、電子秤装置への適用例を示す全体の斜視図である。
【図２】カセット及びカセット保持部が共に収納された状態を示す斜視図である。
【図３】カセット保持部が最大引出位置まで引き出された状態を示す斜視図である。
【図４】カセットが引き抜かれた状態を示す斜視図である。
【図５】カセットを示す側面図ある。
【図６】カセット及びカセット保持部が共に収納された状態を示す右側面図である。
【図７】カセット及びカセット保持部が僅かに引き出された状態を示す右側面図である。
【図８】カセット及びカセット保持部が更に引き出されてカッタが待避位置に位置付けられた状態を示す右側面図である。
【図９】カセット及びカセット保持部が更に引き出された状態を示す右側面図である。
【図１０】カセット保持部が最大引出位置まで引き出された状態を示す右側面図である。
【図１１】カセットが引き抜かれた状態を示す右側面図である。
【図１２】カセット及びカセット保持部が共に収納された状態でのロール紙の案内経路を示す縦断右側面図である。
【符号の説明】
２０１…本体ケース、２０２…カセット保持部、２０３…カセット、２０４…印字ヘッド（ラインサーマルヘッド）、２０６…用紙保持部、２０６ａ…ストッパ、２０７…プラテン、２１０…取付壁、２１１…開放部、２１２…屈曲部，ガイドシャフト、２１３…サイドフェンス、２１３ａ…用紙ガイド部、２１４ａ…屈曲部，支持シャフト、２１４ｂ…支持シャフト、２２１…印字ヘッドホルダ、２２５…跳上げ手段
【図１】
0003832814.tif 000002
【図２】
0003832814.tif 000003
【図３】
0003832814.tif 000004
【図４】
0003832814.tif 000005
【図５】
0003832814.tif 000006
【図６】
0003832814.tif 000007
【図７】
0003832814.tif 000008
【図８】
0003832814.tif 000009
【図９】
0003832814.tif 000010
【図１０】
0003832814.tif 000011
【図１１】
0003832814.tif 000012
【図１２】
0003832814.tif 000013